(57)【要約】      （修正有）【課題】低床化が可能な浴室ユニットを提供する。【解決手段】浴槽１０及び洗い場２０からの排水が流入する、排水トラップ４０と、排水トラップの排水の流出口４３に接続された、排水管５０と、を備えた浴室ユニット１であって、排水管は、浴室設置スペース内に、内径が下流側へ拡大された拡径部５１を有している。【選択図】図２
2020097829.tif 000002
【特許請求の範囲】
【請求項１】
浴槽及び洗い場からの排水が流入する、排水トラップと、
前記排水トラップの排水の流出口に接続された、排水管と、
を備えた浴室ユニットであって、
前記排水管は、浴室設置スペース内に、内径が下流側へ拡大された拡径部を有している、浴室ユニット。
【請求項２】
前記排水管のうち、前記拡径部から下流側に連続する下流側管部の中心軸線が、前記排水管のうち、前記拡径部から上流側に連続する上流側管部の中心軸線に対して、上側にオフセットされている、請求項１に記載の浴室ユニット。
【請求項３】
前記拡径部は、継手によって構成されている、請求項１又は２に記載の浴室ユニット。
【請求項４】
前記浴室ユニットを水平面に投影して観たときに、前記拡径部は、その少なくとも一部分が、前記浴室設置スペース内における、前記浴室ユニットの室内スペースの外縁よりも外側の領域と、重なる位置にある、請求項１〜３のいずれか一項に記載の浴室ユニット。
【請求項５】
前記排水トラップは、その頂部に排水の流入口を有しており、
前記排水トラップの封水面から前記流入口までの高さである、溢れ高さが、４０ｍｍ以下である、請求項１〜４のいずれか一項に記載の浴室ユニット。
【発明の詳細な説明】
【技術分野】
【０００１】
本発明は、浴室ユニットに関する。
【背景技術】
【０００２】
従来より、スラブから浴室ユニットの床面までの高さ方向の寸法を小さくすること（「低床化」と呼ばれる。）を目的とした、浴室ユニットが提案されている（例えば、特許文献１）。
【先行技術文献】
【特許文献】
【０００３】
【特許文献１】特開２００５−３２５５９５号公報
【発明の概要】
【発明が解決しようとする課題】
【０００４】
しかしながら、従来の浴室ユニットにおいては、低床化に関し、さらなる向上の余地があった。
【０００５】
本発明は、低床化が可能な浴室ユニットを提供することを目的とする。
【課題を解決するための手段】
【０００６】
本発明の浴室ユニットは、
浴槽及び洗い場からの排水が流入する、排水トラップと、
前記排水トラップの排水の流出口に接続された、排水管と、
を備えた浴室ユニットであって、
前記排水管は、浴室設置スペース内に、内径が下流側へ拡大された拡径部を有している。
これにより、低床化が可能となる。
【０００７】
本発明の浴室ユニットにおいては、
前記排水管のうち、前記拡径部から下流側に連続する下流側管部の中心軸線が、前記排水管のうち、前記拡径部から上流側に連続する上流側管部の中心軸線に対して、上側にオフセットされていると、好適である。
これにより、低床化しつつ、排水管の下流側端部での芯高さを高くすることが、可能になる。また、排水管の下流側端部での芯高さを一定として考えた場合に、さらなる低床化が可能になる。
【０００８】
本発明の浴室ユニットにおいては、
前記拡径部は、継手によって構成されていると、好適である。
これにより、排水管の製造が簡単になる。
【０００９】
本発明の浴室ユニットにおいては、
前記浴室ユニットを水平面に投影して観たときに、前記拡径部は、その少なくとも一部分が、前記浴室設置スペース内における、前記浴室ユニットの室内スペースの外縁よりも外側の領域と、重なる位置にあると、好適である。
これにより、さらなる低床化が可能になる。
【００１０】
本発明の浴室ユニットにおいては、
前記排水トラップは、その頂部に排水の流入口を有しており、
前記排水トラップの封水面から前記流入口までの高さである、溢れ高さが、４０ｍｍ以下であると、好適である。
これにより、さらなる低床化が可能となる。
【発明の効果】
【００１１】
本発明によれば、低床化が可能な浴室ユニットを提供することができる。
【図面の簡単な説明】
【００１２】
【図１】本発明の一実施形態に係る浴室ユニットを概略的に示す、平面図である。
【図２】図１の浴室ユニットを、図１のＡ−Ａ線に沿う断面により示す、鉛直方向断面図である。
【図３】図２の浴室ユニットの一部を拡大して示す、鉛直方向断面図である。
【図４】図４（ａ）は、図３の浴室ユニットの一部をさらに拡大して示す、鉛直方向断面図であり、図４（ｂ）は、図４（ａ）の浴室ユニットの一部を示す、平面図である。
【図５】図５（ａ）は、本発明の第１変形例に係る浴室ユニットの一部を拡大して示す、鉛直方向断面図であり、図５（ｂ）は、図５（ａ）の浴室ユニットの一部を示す、平面図である。
【図６】図６（ａ）〜図６（ｃ）は、本発明の第２変形例〜第４変形例に係る浴室ユニットの一部をそれぞれ示す、鉛直方向断面図である。
【図７】図７（ａ）〜図７（ｂ）は、それぞれ別々の参考例に係る浴室ユニットについて説明するための図面である。
【発明を実施するための形態】
【００１３】
以下に、図面を参照しつつ、本発明に係る浴室ユニットの実施形態を例示説明する。
【００１４】
図１〜図４は、本発明の一実施形態に係る浴室ユニット１を示している。図１は、本実施形態に係る浴室ユニット１を概略的に示す、平面図である。図２は、図１の浴室ユニットを、図１のＡ−Ａ線に沿う断面により示す、鉛直方向断面図である。図１のＡ−Ａ線は、後述の浴槽排水管８０の中心軸線と排水管５０の中心軸線とに沿っている。図３は、図２の浴室ユニットの一部を拡大して示す、鉛直方向断面図である。図４（ａ）は、図３の浴室ユニットの一部をさらに拡大して示す、鉛直方向断面図であり、図４（ｂ）は、図４（ａ）の浴室ユニットの一部を示す、平面図である。
図１及び図２に示すように、浴室ユニット１は、浴槽１０と、浴室ユニット１の床面を構成するとともに床パンから構成された洗い場２０と、浴槽１０の下に配置された浴槽パン３１と、複数の壁パネル７０と、１つ又は複数の天井パネル（図示せず）と、洗い場２０の下に配置された排水トラップ４０と、浴槽パン３１と排水トラップ４０との間に配設された浴槽排水管８０と、排水トラップ４０の排水の流出口４３に接続された排水管５０と、を備えており、これらの構成要素が、浴室設置スペースＢＳ内にユニット化された状態で、スラブＳＬの上に設置されている。壁パネル７０とは、収納パネルやドアも含む。洗い場２０と浴槽パン３１とは、防水パン３０を構成している。
ここで、「浴室設置スペースＢＳ」とは、浴室ユニット１の設置のために確保されたスペースの全体を指しており、部屋の間取図でいえば、浴室として確保されたスペースの全体を指している。図１には、参考のため、浴室設置スペースＢＳの外縁ＢＥを示している。図１からもわかるように、浴室設置スペースＢＳは、浴室ユニット１を平面視したとき（水平面に投影して観たとき）における、浴槽１０及び洗い場２０が占める領域のみ、あるいは、防水パン３０が占める領域のみを、指しているのではなく、それらよりも外側の領域をも含んでいる。
【００１５】
浴槽１０には、浴槽１０内の排水を排出するための排水口１１が設けられている。浴槽パン３１には、浴槽１０の排水口１１の下側に、浴槽１０の排水口１１からの排水を排出するための排水口３２が設けられている。この浴槽パン３１の排水口３２には、目皿３３が取り付けられている。
一方、洗い場２０には、洗い場２０の排水を排出するための排水口２１が設けられている。洗い場２０の排水口２１は、上からカバー２２で覆うことが可能になっている。
洗い場２０の排水口２１の下には、浴槽１０及び洗い場２０からの排水が流入する、水封式の排水トラップ４０が設けられている。排水トラップ４０は、封水を貯留して排水管５０からの臭気などを遮断する機能を有している。
【００１６】
図３に拡大して示すように、排水トラップ４０は、浴槽１０からの排水が流入する第１流入口４１（流入口）と、洗い場２０からの排水が流入する第２流入口４２（流入口）と、浴槽１０及び洗い場２０からの排水を排出する流出口４３と、を有している。また、排水トラップ４０は、トラップ本体４５と、トラップ本体４５に連結された延出管４６と、トラップ本体４５の内部に収容された封水筒４４と、を有している。
トラップ本体４５は、頂部が開放された椀型（有底の筒型）に構成されている。トラップ本体４５の側部には、第１流入口４１と、延出管４６の上流側の端部が接続された接続口４５ａとが、設けられている。排水トラップ４０の第１流入口４１は、浴槽パン３１の排水口３２と、浴槽排水管８０を介して接続されている。トラップ本体４５の頂部の開放部分は、第２流入口４２を構成している。図１のように浴室ユニット１を水平面へ投影して観たときに、排水トラップ４０の第２流入口４２は、洗い場２０の排水口２１と重なる位置に配置されている。延出管４６の下流側の端部は、流出口４３を構成している。流出口４３は、排水管５０の上流側端部５０ｕと接続されている。
本例において、延出管４６の内部には、流出口４３の上流側において、延出管４６の内周面の下端から上側へ立設された、立ち上がり部４７が形成されている。立ち上がり部４７は、排水トラップ４０の封水深ＳＤを確保する役割を有しており、立ち上がり部４７の上端の高さが封水面ＳＳの高さである。封水深ＳＤは、封水筒４４の下端から封水面ＳＳまでの高さである。封水深ＳＤは、所定の深さに設定されている。現在、日本国内においては、排水トラップの封水強度を確保する観点から、封水深を５０〜１００ｍｍとする規定（ＳＨＡＳＥ−Ｓ２１８の基準や、建築基準法の告示（建設省告示第１６７４））がある。よって、封水深ＳＤの上記所定の深さは、現在の日本国内においては、規定された範囲（５０〜１００ｍｍ）内であると好適であるが、その他の値に設定されてもよい。
【００１７】
排水管５０は、その上流側端部５０ｕが、排水トラップ４０の流出口４３に接続されており、そこから、防水パン３０の下側（本例では、特に、洗い場２０の下側）を延在し、さらにそれより外側へ延在している。排水管５０の下流側端部５０ｄは、浴室設置スペースＢＳの外縁ＢＥ上又はその近傍に配置されており、浴室ユニット１の設置後の配管工事において、浴室設置スペースＢＳの外側に配設される設備配管（図示せず）と接続される部分である。
【００１８】
このように構成された浴室ユニット１においては、浴槽１０からの排水は、浴槽１０の排水口１１から排出され、浴槽パン３１の排水口３２及び浴槽排水管８０を介して、排水トラップ４０の第１流入口４１から、排水トラップ４０の内部に流入する。一方、洗い場２０からの排水は、洗い場２０の排水口２１から排出され、排水トラップ４０の第２流入口４２から、排水トラップ４０の内部に流入する。そして、立ち上がり部４７の上端から溢れた排水は、排水トラップ４０の流出口４３を介して、排水管５０の上流側端部５０ｕへ流入し、排水管５０の下流側端部５０ｄから出ることによって、浴室ユニット１の外部へと排出される。
【００１９】
図３及び図４に示すように、排水管５０は、浴室設置スペースＢＳ内に、内径が下流側へ拡大された拡径部５１を有している。すなわち、排水管５０は、拡径部５１から下流側に連続する下流側管部５２の内径Ｄ５２が、拡径部５１から上流側に連続する上流側管部５３の内径Ｄ５３よりも、大きい（Ｄ５２＞Ｄ５３）。図３の例においては、下流側管部５２と上流側管部５３とが、それぞれ別々の管部材から構成されており、それらが、継手６０によって接続されている。本例において、継手６０は、偏心インクリーザである。継手６０のうち、内径が下流側に向かって徐々に拡径する部分が、拡径部５１を構成している。
【００２０】
排水を下流側へ流し易くするために、上流側管部５３と下流側管部５２とには、下流側へ向かうにつれて下に下がるような勾配が設けられている。本例において、上流側管部５３と下流側管部５２との勾配は同じである。上流側管部５３と下流側管部５２との勾配は、例えば、１／１００〜１／５０の範囲が好ましい。
なお、上流側管部５３の勾配は、上流側管部５３の横引き長さ（浴室ユニットを水平面に投影して観たときにおける、上流側管部５３の中心軸線に沿って測ったときの、上流側管部５３の中心軸線の長さ）に対する、上流側管部５３の中心軸線の高さ方向の寸法（上流側管部５３の下流側端部５３ｄでの芯高さ（中心軸線の高さ）から上流側管部５３の上流側端部５３ｕでの芯高さまでの高さ）である。下流側管部５２の勾配についても同様である。
【００２１】
図３及び図４の例においては、排水管５０の中心軸線に沿う断面を観た時に、排水管５０のうち、拡径部５１から下流側に連続する下流側管部５２の中心軸線Ｏ５２が、排水管５０のうち、拡径部５１から上流側に連続する上流側管部５３の中心軸線Ｏ５３（の延長線）に対して、上側にオフセットされている。いいかえれば、排水管５０の中心軸線に沿う断面を観た時に、下流側管部５２の中心軸線Ｏ５２は、上流側管部５３の中心軸線Ｏ５３（の延長線）と平行であり、かつ、上流側管部５３の中心軸線Ｏ５３（の延長線）よりも上側に位置している。
【００２２】
本実施形態の浴室ユニット１は、排水管５０が拡径部５１を有することにより、従来に比べ、スラブＳＬから浴室ユニット１の床面（洗い場２０の上面）までの高さ方向の寸法を小さくすること（低床化）が可能になる。以下、このことについて説明する。
一般的に、低床化にあたっては、排水トラップの高さ方向の寸法を小さくすることが有効である。ただし、現在の日本国内においては、上述のとおり、封水深を規定の範囲（５０〜１００ｍｍ）内にすることが必要とされているため、排水トラップのうち、封水面ＳＳから下側の部分の高さ方向の寸法の縮小化には、限界がある。一方、本発明の発明者は、排水トラップのうち、封水面ＳＳから上側の部分の高さ方向の寸法、より具体的には、溢れ高さＯＦＨにつき、縮小化の余地があることに、新たに着目した。溢れ高さＯＦＨとは、図３に示すように、封水面ＳＳから、排水トラップ４０の頂部の流入口（第２流入口）４２までの高さを指す。
【００２３】
しかし、排水トラップの溢れ高さを縮小化するにあたっては、課題も生じる。このことについて、図７（ａ）及び図７（ｂ）を参照しつつ説明する。
図７（ａ）及び図７（ｂ）は、図３の例の浴室ユニット１との比較のために、それぞれ別々の参考例に係る浴室ユニット１’を説明するための図面である。図７（ａ）及び図７（ｂ）においては、図３に示す本実施形態の浴室ユニット１の構成要素に対応する構成要素を、コンマ（’）付きの同様の符号で示している。図７（ａ）及び図７（ｂ）の各参考例では、排水管５０’が拡径部を有しておらず、排水管５０’の内径Ｄ５０’が、その全長にわたって、図３の例の下流側管部５２の内径Ｄ５２と同じであるものとする（Ｄ５０’＝Ｄ５２）。また、図７（ａ）及び図７（ｂ）の各参考例では、スラブＳＬから排水トラップ４０’の下端までの高さ、封水深ＳＤ’、及び、スラブＳＬから封水面ＳＳ’までの高さが、それぞれ、図３の例における、スラブＳＬから排水トラップ４０の下端までの高さ、封水深ＳＤ、及び、スラブＳＬから封水面ＳＳまでの高さと同じであるものとする。
まず、図７（ａ）の実線で示す浴室ユニット１’においては、排水トラップ４０’の溢れ高さＯＦＨ１’が、図３の例の溢れ高さＯＦＨよりも高い（ＯＦＨ１’＞ＯＦＨ）。これに伴い、洗い場２０’の高さも、図３の例の洗い場２０の高さよりも高い。そのため、排水トラップ４０’の流出口４３’の上端から洗い場２０’の裏面までの高さＨＡ１’を十分に確保しつつ、排水管５０’の上流側端部５０ｕ’での芯高さＰＵＨ１’を、十分に確保することができる。なお、排水管の芯高さとは、排水管の中心軸線の高さである。しかし、スラブＳＬから浴室ユニット１の床面までの高さ方向の寸法が大きくなるという問題がある。
そこで、図７（ａ）において一部破線で示すように、排水トラップ４０’の流出口４３’の位置を変えずに、排水トラップ４０’の溢れ高さをＯＦＨ２’にまで低くし（ＯＦＨ２’＜ＯＦＨ１’）、それに伴い洗い場２０’も低くすることにより、低床化を図ろうとすると、排水トラップ４０’の流出口４３’の上端から洗い場２０’の裏面までの高さがＨＡ２’へと縮小される（ＨＡ２’＜ＨＡ１’）ため、施工時や使用時において、排水トラップ４０’の流出口４３’が洗い場２０’と干渉しやすくなるおそれがある。ここで、図７（ａ）の破線の例における溢れ高さＯＦＨ２’は、図３の例における溢れ高さＯＦＨと同じとする（ＯＦＨ２’＝ＯＦＨ）。
一方、図７（ｂ）に示すように、図７（ａ）の破線の例から、延出管４６’の全体の高さを低くし、それにより、排水トラップ４０’の流出口４３’の高さを低くすれば、低床化を実現しつつ、排水トラップ４０’の流出口４３’の上端から洗い場２０’の裏面までの高さをＨＡ１’として十分に確保できるので、流出口４３’と洗い場２０’との干渉を回避できる。なお、この場合、トラップ本体４５’の下端から流出口４３’の下端までの高さＨＢ２’は、図７（ａ）の例におけるトラップ本体４５’の下端から流出口４３’の下端までの高さＨＢ１’に比べて、小さくなる（ＨＢ２’＜ＨＢ１’）。しかし、この場合、排水管５０’の上流側端部５０ｕ’での芯高さがＰＵＨ２’へと縮小される（ＰＵＨ２’＜ＰＵＨ１’）。排水管５０’には勾配を設ける必要があるところ、排水管５０’の上流側端部５０ｕ’での芯高さＰＵＨ２’が低くなると、排水管５０’の下流側端部（図示せず）での芯高さを十分に確保するのが難しくなる。そのため、排水管に接続される設備配管の横引き長さが短くなり、間取りの自由度が低くなるおそれがある。
このように、上記各参考例においては、排水トラップの溢れ高さを縮小化するにあたって、排水管に関する課題が生じる。
【００２４】
これに対し、図３に示す本実施形態においては、排水管５０が拡径部５１を有することにより、排水管５０を、上流側管部５３に対応する部分で、図７（ａ）及び図７（ｂ）の各参考例よりも、細径にすることができる。このため、図７（ｂ）の例と同程度に、排水トラップ４０の溢れ高さＯＦＨを小さくし（ＯＦＨ＝ＯＦＨ２’）、それに伴い、洗い場２０を低くすることにより、低床化を実現し、また、図７（ｂ）の例と同程度に、排水トラップ４０の流出口４３の上端から洗い場２０の裏面までの高さＨＡを十分に確保する（ＨＡ＝ＨＡ１’）ことにより、流出口４３と洗い場２０との干渉を回避できるようにしつつ、さらに、上流側管部５３が細径になるのに伴い、排水管５０の上流側端部５０ｕの芯高さＰＵＨを、図７（ｂ）の例よりも高くすることができる（ＰＵＨ＞ＰＵＨ２’）。なお、この場合、トラップ本体４５の下端から流出口４３の下端までの高さＨＢは、図７（ｂ）の例におけるトラップ本体４５’の下端から流出口４３’の下端までの高さＨＢ２’に比べて、大きくなる（ＨＢ＞ＨＢ２’）。これにより、排水管５０の下流側端部５０ｄの芯高さＰＤＨを、高くすることができる。さらに、図３に示す例においては、排水管５０の中心軸線に沿う断面を観た時に、下流側管部５２の中心軸線Ｏ５２が、上流側管部５３の中心軸線Ｏ５３に対して、上側にオフセットされており、これにより、排水管５０の下流側端部５０ｄの芯高さＰＤＨを、上流側管部５３の中心軸線Ｏ５３（の延長線）よりも高くすることができる。よって、排水管５０の下流側端部５０ｄの芯高さＰＤＨを、図７（ｂ）における排水管５０’の下流側端部の芯高さや、仮に下流側管部５２の中心軸線Ｏ５２が上流側管部５３の中心軸線Ｏ５３と同軸である場合の下流側端部５０ｄの芯高さＰＤＨよりも、高くすることができる。そのため、排水管５０に接続される設備配管の横引き長さを十分に確保することができ、間取りの自由度を十分に確保できる。
なお、排水管５０の下流側端部５０ｄの芯高さＰＤＨを高くすることができるということは、すなわち、排水管５０の下流側端部５０ｄの芯高さＰＤＨを一定として考えた場合に、排水管５０の上流側端部５０ｕの芯高さＰＵＨを低くすることができ、ひいては、洗い場２０を低くすることができるので、さらなる低床化が可能になることでもある。
このように、本実施形態によれば、排水トラップの溢れ高さを縮小化した場合に生じ得る上述の問題を解消できるので、問題なく、溢れ高さを縮小化でき、低床化が可能となる。
【００２５】
下流側管部５２は、浴室設置スペースＢＳの外側の設備配管（図示せず）と接続されることから、下流側管部５２の内径Ｄ５２は、浴室ユニットの排水管の内径として従来に一般的なもの（ひいては、設備配管の内径として従来に一般的なもの）であるのが好ましい。例えば、下流側管部５２の内径Ｄ５２は、呼び径が５０Ａであると好適である。一方、上流側管部５３の内径Ｄ５３は、浴室ユニットの排水管の内径として従来に一般的なものよりも小さくされるのが好ましい。例えば、上流側管部５３の内径Ｄ５３は、呼び径が４０Ａであると好適である。
【００２６】
ところで、従来、一般的に、いわゆるサイホン排水構造を有さずに勾配を設けて配設された排水管は、満流状態になると、誘導サイホン作用が生じたり、排水口等から水の噴出しが生じたりするおそれがあることから、常に非満流状態を維持できるような内径を有することが必要と考えられてきた。そのため、従来の浴室ユニットの排水管の内径は、仮に浴槽排水時等において大量の排水が流れてきても、満流状態とならないような内径に設定されていた。
一方、本実施形態においては、排水管５０のうち、上流側管部５３が細径であることから、浴槽排水時等において、上流側管部５３が満流状態になるおそれがある。しかし、本発明の発明者は、浴室設置スペースＢＳの外側の設備配管においては非満流状態に維持されることが必要であるものの、浴室設置スペースＢＳの内部に位置する排水管５０であれば、仮に浴槽排水時等において排水管５０が一時的に満流状態になったとしても、すぐに排水量は低下し非満流状態に戻るので、従来より懸念されていた、誘導サイホン作用に起因する破封や、洗い場２０の排水口２１からの水の噴出しが、起こりにくくなることを、新たに見出したのである。
そこで、本実施形態においては、図４に示すように、排水管５０が、浴室設置スペースＢＳ内に拡径部５１を有することにより、拡径部５１より上流側の上流側管部５３は、細径にして、浴槽排水時等で満流状態になることを許容することで、上述のように低床化を実現し、一方、拡径部５１より下流側の下流側管部５２は、太径にすることで、浴槽排水時等で満流状態になることを回避し、それにより、排水管５０に接続される、浴室設置スペースＢＳの外側の設備配管が、非満流状態に維持されるようにしている。
【００２７】
なお、図３に示す本実施形態では、図７（ｂ）の参考例に比べて、排水管の一部（上流側管部５３）を細径にしているものの、排水量は同程度を確保できる。
すなわち、浴室ユニット１’の構成を、図７（ａ）の構成からと図７（ｂ）の構成に変更する（排水トラップ４０’の溢れ高さをＯＦＨ１’からＯＦＨ２’へと小さくし、さらに、延出管４６’の高さを下げる）際には、封水深ＳＤ’を上記所定の深さとするために、立ち上がり部４７’の高さ方向の寸法を長くする必要が出てくる。それに伴い、立ち上がり部４７’の上側の流路である絞り部４８’の流路断面積が小さくなる。そして、図７（ｂ）の例においては、絞り部４８’の流路断面積が、その下流側の排水管５０’の流路断面積よりも小さいことから、排水量は絞り部４８’の流路断面積によって決まる。
そして、図３に示す実施形態においては、立ち上がり部４７の上側の流路である絞り部４８の流路断面積が、図７（ｂ）における絞り部４８’の流路断面積と同じであり、また、その下流側の上流側管部５３の流路断面積よりも小さいことから、排水量は絞り部４８の流路断面積によって決まる。このため、排水量は、図７（ｂ）の参考例と同じ量を確保できるのである。
【００２８】
上述のように、図４の例では、排水管５０の中心軸線に沿う断面を観た時に、下流側管部５２の中心軸線Ｏ５２が、上流側管部５３の中心軸線Ｏ５３に対して、上側にオフセットされており、すなわち、下流側管部５２の中心軸線Ｏ５２は、上流側管部５３の中心軸線Ｏ５３（の延長線）と平行であり、かつ、上流側管部５３の中心軸線Ｏ５３（の延長線）よりも上側に位置している。これにより、図７（ｂ）の例と同様に低床化をしつつ、図７（ｂ）の例よりも排水管５０の下流側端部５０ｄでの芯高さＰＤＨを高くすることが、可能になる。
しかし、この構成は必須ではない。
例えば、排水管５０の中心軸線に沿う断面を観た時に、上流側管部５３の中心軸線Ｏ５３と下流側管部５２の中心軸線Ｏ５２とは、互いに交差する方向に延在していたり、かつ／又は、少なくともいずれか一方が湾曲又は屈曲していてもよい。その場合、少なくとも、下流側管部５２の上流側端部５２ｕでの芯高さが、上流側管部５３の下流側端部５３ｄでの芯高さよりも高いと、好適である。それによっても、図７（ｂ）の例と同様に低床化をしつつ、図７（ｂ）の例よりも排水管５０の下流側端部５０ｄでの芯高さＰＤＨを高くすることが、可能になる。
【００２９】
排水管５０の内部に水や汚れが溜まるのを防止する観点から、排水管５０は、その全長にわたって、その内周面の下端に、上流側から下流側に向かって高くなるような隆起部分を有しないのが好ましい。
このような観点から、上述の各例のように上流側管部５３の中心軸線Ｏ５３と下流側管部５２の中心軸線Ｏ５２とを一致させない（すなわち、上流側管部５３と下流側管部５２とを非同軸状に配置する）場合、拡径部５１の上流側端部５１ｕの内周面の下端５１ｕｂは、図４の例のように上流側管部５３の下流側端部５３ｄの内周面の下端５３ｄｂから段差なく連続しているか、あるいは、上流側管部５３の下流側端部５３ｄの内周面の下端５３ｄｂよりも低いことが、好ましい。なお、拡径部５１の上流側端部５１ｕの内周面の下端５１ｕｂが、上流側管部５３の下流側端部５３ｄの内周面の下端５３ｄｂから段差なく連続している場合（図４）は、拡径部５１の上流側端部５１ｕの内周面の下端５１ｕｂが、上流側管部５３の下流側端部５３ｄの内周面の下端５３ｄｂよりも低い場合に比べて、排水管５０の下流側端部５０ｄでの芯高さＰＤＨをより高くすることができる。
同様に、上述のように上流側管部５３の中心軸線Ｏ５３と下流側管部５２の中心軸線Ｏ５２とを一致させない（すなわち、上流側管部５３と下流側管部５２とを非同軸状に配置する）場合、下流側管部５２の上流側端部５２ｕの内周面の下端５２ｕｂは、図４の例のように拡径部５１の下流側端部５１ｄの内周面の下端５１ｄｂから段差なく連続しているか、あるいは、拡径部５１の下流側端部５１ｄの内周面の下端５１ｄｂよりも低いことが、好ましい。なお、下流側管部５２の上流側端部５２ｕの内周面の下端５２ｕｂが、拡径部５１の下流側端部５１ｄの内周面の下端５１ｄｂから段差なく連続している場合（図４）は、下流側管部５２の上流側端部５２ｕの内周面の下端５２ｕｂが、拡径部５１の下流側端部５１ｄの内周面の下端５１ｄｂよりも低い場合に比べて、排水管５０の下流側端部５０ｄでの芯高さＰＤＨをより高くすることができる。
【００３０】
拡径部５１は、図３及び図４の例のように、継手６０によって構成されていると、好適である。
これにより、排水管５０を製造するにあたっては、互いに別部材からなる上流側管部５３と下流側管部５２とを、継手６０によって連結するだけで済むので、特別な金型を必要とせず、排水管５０の製造が簡単になる。特に、図３及び図４の例のように、継手６０として、偏心インクリーザを用いるとよい。
【００３１】
なお、上流側管部５３の中心軸線Ｏ５３と下流側管部５２の中心軸線Ｏ５２とを一致させる（すなわち、上流側管部５３と下流側管部５２とを同軸状に配置する）ようにしてもよい。この場合でも、図７（ｂ）の例と同様に、低床化をし、排水トラップ４０の流出口４３の上端から洗い場２０の裏面までの高さＨＡを確保しつつ（ＨＡ＝ＨＡ１’）、上流側管部５３が細径になるのに伴い、排水管５０の上流側端部５０ｕの芯高さＰＵＨを、図７（ｂ）の例における排水管５０’の上流側端部５０ｕ’の芯高さＰＵＨ’よりも高くすることができる（ＰＵＨ＞ＰＵＨ２’）ので、排水管５０の下流側端部５０ｄの芯高さＰＤＨも、図７（ｂ）の例における排水管５０’の下流側端部（図示せず）の芯高さよりも高くすることができる。
ただし、この場合、上述のように上流側管部５３の中心軸線Ｏ５３と下流側管部５２の中心軸線Ｏ５２とを一致させない（すなわち、上流側管部５３と下流側管部５２とを非同軸状に配置する）場合に比べれば、排水管５０の下流側端部５０ｄの芯高さＰＤＨの増加代は小さくなる。
なお、この場合も、拡径部５１を継手６０によって構成すると好適であり、継手６０としては、偏心されていない通常のインクリーザを用いるとよい。
【００３２】
図１のように浴室ユニット１を水平面に投影して観たときに、拡径部５１は、浴室設置スペースＢＳ内の任意の位置に配置されてよい。
図４の例では、特に図４（ｂ）に示すように、浴室ユニット１を水平面に投影して観たときに、拡径部５１の少なくとも一部分が、壁パネル７０と重なる位置にある。また、図４の例において、拡径部５１は、その一部分が、浴室ユニット１を水平面に投影して観たときに、防水パン３０の外縁と重なっている。
一方、図５の例では、特に図５（ｂ）に示すように、浴室ユニット１を水平面に投影して観たときに、拡径部５１の全部が、浴室設置スペースＢＳのうち、防水パン３０の外縁よりも外側の領域内にある。
なお、図４の例及び図５の例のように、浴室ユニット１を水平面に投影して観たときに、拡径部５１は、その少なくとも一部分が、浴室設置スペースＢＳ内における、浴室ユニット１の室内スペースＩＳの外縁ＩＥよりも外側の領域と、重なる位置にあると、好適である。室内スペースＩＳの外縁ＩＥは、壁パネル７０の表面（室内スペースＩＳ側の面）によって区画されている。これにより、室内スペースＩＳの下には、排水管５０のうち、主に、細径の上流側管部５３を配置し、太径の下流側管部５２をほとんど配置しないようにすることができるので、排水管５０が防水パン３０と干渉しにくくなり、さらなる低床化も可能となる。また、排水管５０のうち、細径の上流側管部５３が占める割合が多くなるので、排水管５０の軽量化や施工性の向上も可能になる。
同様の観点からは、図５の例のように、浴室ユニット１を水平面に投影して観たときに、拡径部５１の全部が、浴室設置スペースＢＳのうち、防水パン３０の外縁よりも外側の領域内にあると、さらに好適である。
【００３３】
上述した各例において、拡径部５１は、継手６０以外の部材によって構成してもよい。
例えば、図６（ａ）〜図６（ｃ）にそれぞれ示す第２変形例〜第４変形例のように、上流側管部５３、拡径部５１、及び下流側管部５２を一体に構成し、排水管５０の全体を１つの管部材から構成してもよい。
あるいは、上流側管部５３及び拡径部５１を一体にして１つの管部材から構成し、下流側管部５２を別の管部材から構成してもよい。
あるいは、下流側管部５２及び拡径部５１を一体にして１つの管部材から構成し、上流側管部５３を別の管部材から構成してもよい。
また、上述した各例において、排水管５０の中心軸線に沿う断面を観た時に、拡径部５１は、図４の例や図６（ａ）の例のように、内周面の全部が直線状に延在していてもよいし、あるいは、図６（ｂ）の例のように、内周面の少なくとも一部分が滑らかに湾曲していてもよいし、あるいは、図６（ｃ）の例のように、内周面の少なくとも一部分が段差を有していてもよい。
【００３４】
低床化の観点からは、排水トラップ４０の溢れ高さＯＦＨは、４０ｍｍ以下であると好適であり、１０ｍｍ以下であるとさらに好適である。
【００３５】
なお、浴室ユニット１は、浴槽パン３１を備えなくてもよい。その場合、浴槽排水管８０の上流側端部は、浴槽パン３１ではなく浴槽１０に接続される。
また、図１のように浴室ユニット１を水平面に投影して観た時に、排水トラップ４０の頂部の流入口（第２流入口）４２は、洗い場２０の排水口２１とは重ならない位置にあってもよい。
また、排水トラップ４０は、洗い場２０の下に代えて又は加えて、浴槽１０の下に配置されてもよい。
また、排水トラップ４０は、図２及び図３に示す形状及び構成に限られず、任意の形状及び構成を有していてよい。例えば、トラップ本体４５と延出管４６は、本例では別体に構成されているが、互いに一体に構成されていてもよい。また、トラップ本体４５と封水筒４４は、本例では別体に構成されているが、互いに一体に構成されていてもよい。
また、立ち上がり部４７は、延出管４６の内部ではなく、トラップ本体４５の内部に設けられてもよい。
また、排水トラップ４０は、延出管４６を有していなくてもよい。その場合、トラップ本体４５に、立ち上がり部４７及び流出口４３を設けるとよい。
【００３６】
上述した浴室ユニット１の排水管５０は、勾配が設けられることにより排水を排出する勾配排水構造を有しているが、それに代えて又は加えて、サイホン力を利用して排水を排出するサイホン排水構造を有していてもよい、この場合、排水管５０には勾配が設けられていなくてもよいので、さらなる低床化が可能になる。
【産業上の利用可能性】
【００３７】
本発明の浴室ユニットは、例えばマンションや戸建て住宅等に設置されるような、任意のタイプの浴室ユニットに好適に利用できるものである。
【符号の説明】
【００３８】
１、１’：浴室ユニット、  １０：浴槽、  １１：排水口、  １２：栓、  ２０、２０’：洗い場、  ２１：排水口、  ２２：カバー、    ３０、３０’：防水パン、  ３１：浴槽パン、  ３２：排水口、  ３３：目皿、  ４０：排水トラップ、  ４１：第１流入口（流入口）、  ４２、４２’：第２流入口（流入口）、  ４３、４３’：流出口、  ４４、４４’：封水筒、  ４５、４５’：トラップ本体、  ４５ａ：接続口、  ４５ｕｅ、４５ｕｅ’：トラップ本体の上端、  ４６、４６’：延出管、  ４７、４７’：立ち上がり部、  ４８、４８’：絞り部、  ５０、５０’：排水管、  ５０ｄ：排水管の下流側端部、  ５０ｕ、５０ｕ’：排水管の上流側端部、  ５１：拡径部、  ５１ｄ：拡径部の下流側端部、  ５１ｄｂ：拡径部の下流側端部の内周面の下端、  ５１ｕ：拡径部の上流側端部、  ５２：下流側管部、  ５２ｄ：下流側管部の下流側端部、  ５２ｕ：下流側管部の上流側端部、  ５３：上流側管部、  ５３ｄ：上流側管部の下流側端部、  ５３ｕ：上流側管部の上流側端部、  ６０：継手、  ７０：壁パネル、  ８０：浴槽排水管、  ＢＥ：浴室設置スペースの外縁、  ＢＳ：浴室設置スペース、  ＨＡ、ＨＡ１’、ＨＡ２’：排水トラップの流出口の上端から洗い場の裏面までの高さ、  ＨＢ、ＨＢ１’、ＨＢ２’：排水トラップのトラップ本体の下端から流出口の下端までの高さ、  ＩＥ：室内スペースの外縁、  ＩＳ：室内スペース、  ＳＤ、ＳＤ’：封水深、  ＳＬ：スラブ、  ＳＳ、ＳＳ’：封水面、  Ｏ５２：下流側管部の中心軸線、  Ｏ５３：上流側管部の中心軸線、  ＯＦＨ、ＯＦＨ１’、ＯＦＨ２’：溢れ高さ、  ＰＤＨ：排水管の下流側端部での芯高さ、  ＰＵＨ、ＰＵＨ１’、ＰＵＨ２’：排水管の上流側端部での芯高さ
【図１】
2020097829.tif 000003
【図２】
2020097829.tif 000004
【図３】
2020097829.tif 000005
【図４】
2020097829.tif 000006
【図５】
2020097829.tif 000007
【図６】
2020097829.tif 000008
【図７】
2020097829.tif 000009